【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
撮影画像内の特定領域を特定する特定部と、
前記撮影画像内の前記特定領域の画像を使用して点像分布関数を演算し、前記点像分布関数を用いて前記撮影画像に対して画像回復演算を行う演算部と
を備える画像回復装置。
【請求項２】
請求項１に記載された画像回復装置であって、
前記演算部は、繰り返し計算により前記点像分布関数を演算する画像回復装置。
【請求項３】
請求項１又は２に記載された画像回復装置であって、
前記特定部は、前記撮影画像内の主要被写体が存在する領域を前記特定領域として特定する画像回復装置。
【請求項４】
請求項１から請求項３までの何れか１項に記載された画像回復装置を含むカメラ。
【請求項５】
請求項４に記載されたカメラであって、
前記特定部は、前記カメラの撮影画面内に設定された焦点検出領域に対応する領域を前記特定領域とするカメラ。
【請求項６】
請求項４又は５に記載されたカメラであって、
前記特定部は、前記撮影画像の構図変更に応じて前記特定領域を再度特定するカメラ。
【請求項７】
請求項４から請求項６までの何れか１項に記載されたカメラであって、
前記特定部は、前記撮影画像の構図変更がされたとき、構図変更前に特定した被写体が前記撮影画像の何れの領域にあるかを特定し、その特定された領域を前記特定領域とするカメラ。
【請求項８】
請求項４から請求項７までの何れか１項に記載されたカメラであって、
前記特定部は、前記撮影画像の構図変更がされたとき、構図変更前に特定した前記特定領域と、構図変更後の前記撮影画像とを比較して前記特定領域を再度特定するカメラ。
【請求項９】
請求項８に記載されたカメラであって、
前記構図変更前に特定した前記特定領域の画像は、レンズの結像状態を固定したときの画像であって、前記カメラの撮影画面内に設定された焦点検出領域に対応する領域の画像であるカメラ。
【請求項１０】
請求項４から請求項７までの何れか１項に記載されたカメラであって、
前記特定部は、レンズの結像状態を固定したときに前記カメラの撮影画面内に設定された焦点検出領域にある被写体を特定し、前記被写体を追尾することにより、前記被写体が前記撮影画像の何れの領域にあるかを特定し、その特定された領域を前記特定領域とするカメラ。
【請求項１１】
請求項４から請求項１０までの何れか１項に記載されたカメラであって、
前記特定部は、被写体の顔を含む領域を前記特定領域とするカメラ。
【請求項１２】
請求項４から請求項１１までの何れか１項に記載されたカメラであって、
前記特定部は、前記被写体の目を含む領域を前記特定領域とするカメラ。
【請求項１３】
請求項４から請求項１２までの何れか１項に記載されたカメラであって、
前記撮影画像内の位置を入力するための入力部を有し、
前記特定部は、前記入力部により入力された前記位置に対応する前記撮影画像内の領域を前記特定領域とするカメラ。
【請求項１４】
請求項４から請求項１３までの何れか１項に記載されたカメラであって、
前記演算部を制御する制御部を含み、
前記演算部は、前記制御部から制御信号が供給されたときに、前記画像回復演算を行うカメラ。
【請求項１５】
請求項１４に記載されたカメラであって、
前記制御部は、前記撮影画像に像ブレが含まれていると判断したときに、前記演算部に前記制御信号を供給するカメラ。
【請求項１６】
撮影画像内の特定領域を特定する特定部と、
前記撮影画像、及び、前記特定部により特定された前記特定領域に関する情報を出力する出力部と
を備えるカメラ。
【請求項１７】
撮影画像、及び、前記撮影画像内の特定領域に関する情報が入力される入力部と、
前記撮影画像内の前記特定領域の画像を使用して点像分布関数を演算し、前記点像分布関数を用いて前記撮影画像に対して画像回復演算を行う演算部と
を備える画像回復装置。
【請求項１８】
請求項１７に記載された画像回復装置であって、
前記演算部は、繰り返し計算により前記点像分布関数を演算する画像回復装置。
【請求項１９】
コンピュータを、
撮影画像内の特定領域を特定する特定部と、
前記撮影画像内の前記特定領域の画像を使用して点像分布関数を演算し、前記点像分布関数を用いて前記撮影画像に対して画像回復演算を行う演算部として機能させるためのプログラム。
【請求項２０】
請求項１９に記載されたプログラムであって、
前記演算部は、繰り返し計算により前記点像分布関数を演算するプログラム。
【請求項２１】
撮影画面内に設定された焦点検出領域に対応する特定領域を特定する特定部と、
前記特定領域を用いて撮影画像に含まれる像ブレを補正する補正部と
を備えるカメラ。
【請求項２２】
撮影画像内の被写体の顔を含む特定領域を特定する特定部と、
前記特定領域を用いて撮影画像に含まれる像ブレを補正する補正部と
を備えるカメラ。
【請求項２３】
請求項４から請求項１５までの何れか１項に記載されたカメラであって、
前記特定部は、被写体の特徴に基づいて前記特定領域を特定するカメラ。
【請求項２４】
請求項２３に記載されたカメラであって、
前記被写体の特徴を入力する被写体特徴入力部を有するカメラ。
【請求項２５】
請求項２３又は請求項２４に記載されたカメラであって、
前記特定部は、前記被写体の特徴として少なくとも被写体の顔を用いるカメラ。
【請求項２６】
請求項２３から請求項２５の何れか１項に記載されたカメラであって、
前記特定部が前記被写体の特徴に基づいて特定した特定領域が複数存在するときに１つの特定領域を選択する特定領域選択部を有するカメラ。
【請求項２７】
請求項２６に記載されたカメラであって、
前記特定領域選択部は、画像の鮮明度が最も高い領域を特定領域として選択するカメラ。
【請求項２８】
請求項２６に記載されたカメラであって、
前記特定領域選択部は、撮影画像中に占める面積の割合が最も大きい領域を特定領域として選択するカメラ。
【請求項２９】
請求項４から請求項１５までの何れか１項に記載されたカメラであって、
前記演算部は、画像回復演算を実行中に優先度の高い操作がされたときに画像回復演算を中断、又は、中止するカメラ。
【請求項３０】
請求項２９に記載されたカメラであって、
前記優先度の高い操作には、レリーズスイッチの操作、メニュースイッチの操作、コマンド選択ダイヤルの操作、電源スイッチの操作の何れかを含むカメラ。
【請求項３１】
請求項２９又は請求項３０に記載されたカメラであって、
前記演算部は、前記優先度の高い操作に基づいた動作が終了した後に前記回復演算を再開するカメラ。
【請求項３２】
請求項４から請求項１５までの何れか１項に記載されたカメラであって、
撮影光学部材の少なくとも一部を撮影中に移動することにより撮影画像の像ブレを軽減する光学式ブレ補正部を有し、
前記演算部は、前記光学式ブレ補正部を用いて撮影された撮影画像に対して前記画像回復演算を行えるカメラ。
【手続補正２】
【補正対象書類名】明細書
【補正対象項目名】０００４
【補正方法】変更
【補正の内容】
【０００４】
本発明は、以下のような解決手段により、前記課題を解決する。なお、理解を容易にするために、本発明の実施形態に対応する符号を付して説明するが、これに限定されるものではない。
請求項１の発明は、撮影画像内の特定領域を特定する特定部（１３，４２，２１４）と、前記撮影画像内の前記特定領域の画像を使用して点像分布関数を演算し、前記点像分布関数を用いて前記撮影画像に対して画像回復演算を行う演算部（１４，１６，２１５，２１６）とを備える画像回復装置（１０，２０，３０，４０，２００）である。
請求項２の発明は、請求項１に記載された画像回復装置であって、前記演算部（１４，１６，２１５，２１６）は、繰り返し計算により前記点像分布関数を演算する画像回復装置（１０，２０，３０，４０，２００）である。
請求項３の発明は、請求項１又は２に記載された画像回復装置であって、前記特定部（１３，４２，２１４）は、前記撮影画像内の主要被写体が存在する領域を前記特定領域として特定する画像回復装置（１０，２０，３０，４０，２００）である。
請求項４の発明は、請求項１から請求項３までの何れか１項に記載された画像回復装置（１０，２０，３０，４０，２００）を含むカメラ（１０，２０，３０，４０）である。
請求項５の発明は、請求項４に記載されたカメラであって、前記特定部（１３）は、前記カメラの撮影画面内に設定された焦点検出領域（２１）に対応する領域を前記特定領域とするカメラ（１０，２０，３０）である。
請求項６の発明は、請求項４又は５に記載されたカメラであって、前記特定部（１３）は、前記撮影画像の構図変更に応じて前記特定領域を再度特定するカメラ（１０，２０，３０）である。
請求項７の発明は、請求項４から請求項６までの何れか１項に記載されたカメラであって、前記特定部（１３）は、前記撮影画像の構図変更がされたとき、構図変更前に特定した被写体が前記撮影画像の何れの領域にあるかを特定し、その特定された領域を前記特定領域とするカメラ（１０，２０，３０）である。
請求項８の発明は、請求項４から請求項７までの何れか１項に記載されたカメラであって、前記特定部（１３）は、前記撮影画像の構図変更がされたとき、構図変更前に特定した前記特定領域と、構図変更後の前記撮影画像とを比較して前記特定領域を再度特定するカメラ（１０，３０）である。
請求項９の発明は、請求項８に記載されたカメラであって、前記構図変更前に特定した前記特定領域の画像は、レンズ（１１）の結像状態を固定したときの画像であって、前記カメラの撮影画面内に設定された焦点検出領域（２１）に対応する領域の画像であるカメラ（１０，２０，３０）である。
請求項１０の発明は、請求項４から請求項７までの何れか１項に記載されたカメラであって、前記特定部（１３）は、レンズ（１１）の結像状態を固定したときに前記カメラの撮影画面内に設定された焦点検出領域（２１）にある被写体を特定し、前記被写体を追尾することにより、前記被写体が前記撮影画像の何れの領域にあるかを特定し、その特定された領域を前記特定領域とするカメラ（１０，２０，３０）である。
請求項１１の発明は、請求項４から請求項１０までの何れか１項に記載されたカメラであって、前記特定部（１３，４２）は、被写体の顔を含む領域を前記特定領域とするカメラ（２０，４０）である。
請求項１２の発明は、請求項４から請求項１１までの何れか１項に記載されたカメラであって、前記特定部（１３，４２）は、前記被写体の目を含む領域を前記特定領域とするカメラ（２０，４０）である。
請求項１３の発明は、請求項４から請求項１２までの何れか１項に記載されたカメラであって、前記撮影画像内の位置を入力するための入力部（１９）を有し、前記特定部（１３）は、前記入力部（１９）により入力された前記位置に対応する前記撮影画像内の領域を前記特定領域とするカメラ（１０，２０，３０）である。
請求項１４の発明は、請求項４から請求項１３までの何れか１項に記載されたカメラであって、前記演算部（１４，１６）を制御する制御部（９９）を含み、前記演算部は、前記制御部から制御信号が供給されたときに、前記画像回復演算を行うカメラ（１０，２０）である。
請求項１５の発明は、請求項１４に記載されたカメラであって、前記制御部（９９）は、前記撮影画像に像ブレが含まれていると判断したときに、前記演算部（１４，１６）に前記制御信号を供給するカメラ（１０，２０）である。
請求項１６の発明は、撮影画像内の特定領域を特定する特定部（１３，４２）と、前記撮影画像、及び、前記特定部により特定された前記特定領域に関する情報を出力する出力部（１８）とを備えるカメラ（１０，２０，３０，４０）である。
請求項１７の発明は、撮影画像、及び、前記撮影画像内の特定領域に関する情報が入力される入力部（２１１）と、前記撮影画像内の前記特定領域の画像を使用して点像分布関数を演算し、前記点像分布関数を用いて前記撮影画像に対して画像回復演算を行う演算部（２１５，２１６）とを備える画像回復装置（１００，２００）である。
請求項１８の発明は、請求項１７に記載された画像回復装置であって、
前記演算部（２１５，２１６）は、繰り返し計算により前記点像分布関数を演算する画像回復装置（１００，２００）である。
請求項１９の発明は、コンピュータ（１００，２００）を、
撮影画像内の特定領域を特定する特定部（２１４）と、
前記撮影画像内の前記特定領域の画像を使用して点像分布関数を演算し、前記点像分布関数を用いて前記撮影画像に対して画像回復演算を行う演算部（２１５，２１６）として機能させるためのプログラムである。
請求項２０の発明は、請求項１９に記載されたプログラムであって、前記演算部（２１５，２１６）は、繰り返し計算により前記点像分布関数を演算するプログラムである。
請求項２１の発明は、撮影画面内に設定された焦点検出領域（２１）に対応する特定領域を特定する特定部（１３）と、前記特定領域を用いて撮影画像に含まれる像ブレを補正する補正部（１４，１６）とを備えるカメラ（１０，２０）である。
請求項２２の発明は、撮影画像内の被写体の顔を含む特定領域（２３）を特定する特定部（１３，２２）と、前記特定領域を用いて撮影画像に含まれる像ブレを補正する補正部（１４，１６）とを備えるカメラ（２０）である。
請求項２３の発明は、請求項４から請求項１５までの何れか１項に記載されたカメラであって、前記特定部（４２）は、被写体の特徴に基づいて前記特定領域を特定するカメラ（４０）である。
請求項２４の発明は、請求項２３に記載されたカメラであって、前記被写体の特徴を入力する被写体特徴入力部（１９）を有するカメラ（４０）である。
請求項２５の発明は、請求項２３又は請求項２４に記載されたカメラであって、前記特定部（４２）は、前記被写体の特徴として少なくとも被写体の顔を用いるカメラ（４０）である。
請求項２６の発明は、請求項２３から請求項２５の何れか１項に記載されたカメラであって、前記特定部（４２）が前記被写体の特徴に基づいて特定した特定領域が複数存在するときに１つの特定領域を選択する特定領域選択部（２１４）を有するカメラ（４０）である。
請求項２７の発明は、請求項２６に記載されたカメラであって、前記特定領域選択部（２１４）は、画像の鮮明度が最も高い領域を特定領域として選択するカメラ（４０）である。
請求項２８の発明は、請求項２６に記載されたカメラであって、前記特定領域選択部（２１４）は、撮影画像中に占める面積の割合が最も大きい領域を特定領域として選択するカメラ（４０）である。
請求項２９の発明は、請求項４から請求項１５までの何れか１項に記載されたカメラであって、前記演算部（１４，１６）は、画像回復演算を実行中に優先度の高い操作がされたときに画像回復演算を中断、又は、中止するカメラ（４０）である。
請求項３０の発明は、請求項２９に記載されたカメラであって、前記優先度の高い操作には、レリーズスイッチ（５）の操作、メニュースイッチ（６）の操作、コマンド選択ダイヤル（７）の操作、電源スイッチ（８）の操作の何れかを含むカメラ（４０）である。
請求項３１の発明は、請求項２９又は請求項３０に記載されたカメラであって、前記演算部（１４，１６）は、前記優先度の高い操作に基づいた動作が終了した後に前記回復演算を再開するカメラ（４０）である。
請求項３２の発明は、請求項４から請求項１５までの何れか１項に記載されたカメラであって、撮影光学部材の少なくとも一部（４１）を撮影中に移動することにより撮影画像の像ブレを軽減する光学式ブレ補正部（２，３，９）を有し、前記演算部（１４，１６）は、前記光学式ブレ補正部を用いて撮影された撮影画像に対して前記画像回復演算を行えるカメラ（４０）である。
なお、符号を付した構成は適宜改良してもよい。また、少なくとも一部を他の構成物に代替してもよく、その配置について特に限定のない構成要件は、実施形態で開示した配置に限らない。